(57)【要約】【課題】カラーモードとモノクロモードで画像形成が可能な画像形成装置において、部品の不要な消耗を抑制しつつ、画像不良の発生を抑えることを可能とする。【解決手段】モノクロ画像を形成するモノクロモードと、カラー画像を形成するカラーモードとを有する画像形成装置において、複数の感光ドラムと、前記感光ドラムに形成した画像を中間転写ベルト６に転写する複数の一次転写ローラと、前記中間転写ベルトに転写された画像を搬送されるシートに転写する二次転写ローラ１１とを有し、モノクロモードのときはカラーモードのときよりも中間転写ベルト６に対する二次転写ローラ１１の押圧力を小さく設定する。【選択図】図８
2018092090.tif 000002
【特許請求の範囲】
【請求項１】
モノクロ画像を形成するモノクロモードと、カラー画像を形成するカラーモードとを有する画像形成装置において、
複数の像担持体と、
前記像担持体に形成した画像を中間転写体に転写する複数の一次転写部材と、
前記中間転写体に転写された画像を搬送されるシートに転写する二次転写部材と、
前記中間転写体に対する前記二次転写部材の押圧力を前記モノクロモードと前記カラーモードに応じて変化させる押圧調整手段と、
を有し、
前記押圧調整手段は、前記モノクロモードのときは前記カラーモードのときよりも前記中間転写体に対する前記二次転写部材の押圧力を小さく設定することを特徴とする画像形成装置。
【請求項２】
前記押圧調整手段は、前記二次転写部材を前記中間転写体に押圧する押圧手段と、前記押圧手段による押圧力を変化させるカム部材とを有することを特徴とする請求項１に記載の画像形成装置。
【請求項３】
前記モノクロモードと前記カラーモードに応じて前記一次転写部材の位置を調整する位置調整手段を有し、
前記押圧調整手段は、前記位置調整手段に連動して動作することを特徴とする請求項１又は請求項２に記載の画像形成装置。
【請求項４】
前記モノクロモードと前記カラーモードに応じて前記一次転写部材の位置を調整する位置調整手段を有し、
前記押圧調整手段は、前記二次転写部材を前記中間転写体から離間する離間モードを有し、前記位置調整手段が全ての一次転写部材を前記中間転写体から離間するときに前記二次転写部材を前記中間転写体から離間することを特徴とする請求項１乃至請求項３のいずれか１項に記載の画像形成装置。
【請求項５】
前記位置調整手段を駆動する駆動源は、装置本体に設けられていることを特徴とする請求項３又は請求項４に記載の画像形成装置。
【発明の詳細な説明】
【技術分野】
【０００１】
本発明は、カラー画像を形成し得る複写機やレーザビームプリンタ等の画像形成装置に関するものである。
【背景技術】
【０００２】
従来、カラー複写機やレーザビームプリンタ等の画像形成装置は、感光ドラムや関連部品の必要以上の消耗促進を防止するため、トナー画像を転写する転写部において、画像形成に使用する色数に応じて一次転写ローラを離間させるモード切換機構が備えられている。
【０００３】
通常は、ブラック単色を使用して画像形成を行うモノクロモードと、ブラック以外の色も使用して画像形成を行うカラーモードの２種類のモードを採用している。モノクロモードでは、ブラックの画像形成部以外の一次転写ローラを感光ドラムから離間させ、感光ドラム及び現像器の回転を停止させる機構が備わっている。
【０００４】
また近年、様々な紙種の高画質の要望が高まっており、幅広い紙種に対して転写性能を向上させるために中間転写方式の採用が行われている。これは、それぞれの感光ドラムに形成したトナー像を回転する無端ベルトである中間転写ベルトに重畳して一次転写し、そのトナー像を二次転写部において搬送されるシートに二次転写するものである。
【０００５】
上記のような要望に対して、ブラックの画像形成部以外の一次転写ローラを中間転写ベルトから離間させた状態で画像形成するモノクロモードでは、一次転写ローラと感光ドラムによる中間転写ベルトの挟持力がカラーモード時と比較して弱くなる。そのため、シートが中間転写ベルトと二次転写ローラのニップ部である二次転写部に進入したときの衝撃により、回転する中間転写ベルトは速度変動が生じ易くなる。そして、中間転写ベルトに速度変動が生じると、感光ドラムからの画像転写位置がずれ、画像不良を発生し易くなる。
【０００６】
そこで、モノクロモード時に、ブラックの感光ドラム近傍に設けられた押圧機構によりベルト走行性を安定させる技術が提案されている（特許文献１）。これは、ブラックの画像形成部の近傍に、中間転写ベルトをブラックの感光ドラムに押しつけるローラを設け、モノクロモードとなってブラック以外の一次転写ローラを中間転写ベルトから離間したときに、前記押圧ローラによって中間転写ベルトをブラックの感光ドラムに押しつけるものである。これによって、モノクロモード時の中間転写ベルトの速度変動を抑えるようにしたものである。
【先行技術文献】
【特許文献】
【０００７】
【特許文献１】特開２０１０−１２２６３７号
【発明の概要】
【発明が解決しようとする課題】
【０００８】
しかしながら、上記の特許文献１のように、ブラックの画像形成ユニット近傍に中間転写ベルトを押しつける機構を設けると、ベルト幅の長さ以上のローラが別途必要となり、装置の大型化につながってしまうおそれがある。
【０００９】
本発明の目的は、カラーモードとモノクロモードで画像形成が可能な画像形成装置において、部品の不要な消耗を抑制しつつ、画像不良の発生を抑えることが可能な画像形成装置を提供するものである。
【課題を解決するための手段】
【００１０】
上記目的を達成するための本発明に係る代表的な構成は、モノクロ画像を形成するモノクロモードと、カラー画像を形成するカラーモードとを有する画像形成装置において、複数の像担持体と、前記像担持体に形成した画像を中間転写体に転写する複数の一次転写部材と、前記中間転写体に転写された画像を搬送されるシートに転写する二次転写部材と、前記中間転写体に対する前記二次転写部材の押圧力を前記モノクロモードと前記カラーモードに応じて変化させる押圧調整手段と、を有し、前記押圧調整手段は、前記モノクロモードのときは前記カラーモードのときよりも前記中間転写体に対する前記二次転写部材の押圧力を小さく設定することを特徴とする。
【発明の効果】
【００１１】
本発明にあっては、二次転写部の押圧力を調整することでモノクロモードでのシート突入による衝撃を緩和し、画像不良の発生を低減させることができる。
【図面の簡単な説明】
【００１２】
【図１】画像形成装置の全体構成説明図である。
【図２】カラーモードとモノクロモードのときの一次転写ローラの状態説明図である。
【図３】一次転写ホルダの構成説明図である。
【図４】一次転写ホルダの上視図である。
【図５】一次カムモータからの駆動伝達説明図である。
【図６】一次転写ローラの位置を調整する位置調整手段のカムの説明図である。
【図７】スライダの斜面部と一次転写ローラホルダの突起部との係合説明図である。
【図８】二次転写ローラの押圧力と押圧カムの関係説明図である。
【図９】一次転写ローラ位置調整手段と二次転写ローラ押圧調整部の動作させる制御部のブロック図である。
【図１０】画像形成モード設定の動作を示すフローチャートである。
【図１１】二次転写ローラを離間モードにするための構成説明図である。
【発明を実施するための形態】
【００１３】
次に本発明の実施形態に係る画像形成装置について、図面を参照しながら説明する。
【００１４】
＜画像形成装置の全体構成＞
図１を参照して本実施形態に係る画像形成装置の全体構成について画像形成動作とともに説明する。本実施形態の画像形成装置はカラー画像が形成可能な画像形成装置であって、図１の左からイエローＹ、マゼンタＭ、シアンＣ、ブラックＫの各色のトナー像を形成する複数（４個）の画像形成部が配置されている。各画像形成部はトナーの色が異なるだけで構成は同じである。時計回りに回転する像担持体である感光ドラム１（１Ｙ，１Ｍ，１Ｃ，１Ｋ）の周面を帯電ローラ２（２Ｙ，２Ｍ，２Ｃ，２Ｋ）へのバイアス印加により一様に帯電し、露光装置３（３Ｙ，３Ｍ，３Ｃ，３Ｋ）から画像信号に応じた光照射をすることで静電潜像を形成する。この静電潜像を現像器４（４Ｙ，４Ｍ，４Ｃ，４Ｋ）によってトナー現像し、そのトナー像を一次転写部材である一次転写ローラ５（５Ｙ，５Ｍ，５Ｃ，５Ｋ）へのバイアス印加によって中間転写体である中間転写ベルト６に転写する。上記のようにして各画像形成部Ｙ、Ｍ、Ｃ、Ｋにより形成されたイエロー、マゼンタ、シアン、ブラックの各色トナー像を図１の反時計回りに回転する中間転写ベルト６に順次転写することでカラー画像を形成する。
【００１５】
一方、前記画像形成と同期して装置本体の下部に装着されたシートカセット７に収納されたシートＳがピックアップローラや搬送ローラ等からなる搬送手段８によって二次転写部９へと搬送される。二次転写部９は二次転写内ローラ１０に支持された中間転写ベルト６に二次転写部材である二次転写ローラ１１が当接している。搬送されたシートが前記中間転写ベルト６と二次転写ローラ１１とのニップ部を通過するときに、二次転写ローラ１１へのバイアス印加によって中間転写ベルト６上のトナー像がシートに転写される。
【００１６】
トナー像が転写されたシートは上方に配置された定着装置１２に搬送され、加熱、加圧されてトナー像定着されて排出部１３に排出される。両面記録の場合は定着装置１２を通過したシートは反転搬送されて両面搬送路１４から再度二次転写部９に搬送され、もう一方の面に画像形成された後に排出部１３に排出される。
【００１７】
＜カラーモードとモノクロモード＞
中間転写ベルト６は、図２に示すように、駆動ローラ１５、テンションローラ１６および二次転写内ローラ１０等のローラ類によって張架され、図２の反時計回りに駆動搬送される。従って、前述のイエロー、マゼンタ、シアン、ブラックの各画像形成部Ｙ、Ｍ、Ｃ、Ｋにより並列処理される各色の画像形成プロセスは、中間転写ベルト上に一次転写された上流のトナー像を重ね合わせるタイミングで行われる。その結果、最終的にはフルカラーのトナー像が前記中間転写ベルト上に形成され、前記二次転写部９へと搬送される。
【００１８】
本実施形態の画像形成装置ではカラー画像を形成するカラーモードと、ブラック画像形成部のみを用いてモノクロ画像を形成するモノクロモードとを有する。そして、カラーモード時は、図２（ａ）に示すように、中間転写ベルト６は全ての画像形成部Ｙ、Ｍ、Ｃ、Ｋの一次転写ローラ５によって押圧されて全ての感光ドラム１に当接している。しかし、モノクロモードではブラック以外の画像形成部Ｙ、Ｍ、Ｃでは画像形成しないため、これらを駆動すると画像形成に用いられない感光ドラム１Ｙ，１Ｍ，１Ｃやその他の関連部材が駆動して消耗し、あるいは必要以上の電力消費につながってしまう。そのため、モノクロモードでの画像形成時には、図２（ｂ）に示すように、ブラック以外の画像形成部における一次転写ローラ５Ｙ，５Ｍ，５Ｃを退避させて感光ドラム１Ｙ，１Ｍ，１Ｃと中間転写ベルト６とを離間させるとともに駆動停止して、感光ドラム１Ｙ，１Ｍ，１Ｃやその他の関連部材の消耗や必要以上の電力消費を防ぐ構成としている。
【００１９】
本実施形態では、モノクロモードとカラーモードに応じて中間転写ベルトに対して一次転写ローラ５を当接、離間する一次転写部材位置調整手段によって前記画像形成部における感光ドラム１と中間転写ベルト６の当接、離間を実行している。
【００２０】
（一次転写部材位置調整手段）
ここで、前記一次転写部材位置調整手段の構成について説明する。図３に示すように、一次転写ローラ５はフレーム４８に直動支持または回転支持された一次転写ホルダ２５（２５Ｙ，２５Ｍ，２５Ｃ，２５Ｋ）に支持されている。一次転写ホルダ２５とフレーム４８との間の加圧バネ２８（２８Ｙ，２８Ｍ，２８Ｃ，２８Ｋ）により、一次転写ローラ５を感光ドラム１へ加圧する構成となっている。なお、イエローとマゼンタの一次転写ホルダ２５Ｙ，２５Ｍは軸２５ａＹ，２５ａＭを中心に回動可能であって、一方側端部に一次転写ローラ５Ｙ，５Ｍを回転可能に支持し、他方側端部が加圧バネ２８Ｙ，２８Ｍに押圧されることで一次転写ローラ５Ｙ，５Ｍを感光ドラム１Ｙ，１Ｍに押圧している。シアンとブラックの一次転写ホルダ２５Ｃ，２５Ｋは、図３の上下方向に直動可能であって加圧バネ２８Ｃ，２８Ｋによって一次転写ローラ５Ｃ，５Ｋを感光ドラム１Ｃ，１Ｋに押圧している。
【００２１】
また、イエローの一次転写ホルダ２５Ｙは、図４（ａ）に示すように、加圧バネによって押圧される側の端部に突起部２５ｂＹが設けられている（マゼンタの一次転写ホルダ２５Ｍも同じ構成であって、突起部２５ｂＭが設けられている）。また、シアンの一次転写ホルダ２５Ｃは、図４（ｂ）に示すように、所定位置にも突起部２５ｂＣが設けられている（ブラックの一次転写ホルダ２５Ｋも同じ構成であって、突起部２５ｂＫが設けられている）。
【００２２】
図３に示すように、フレーム４８にはカラー用スライダ３５とブラック用スライダ２９がスライド可能に設けられている。カラー用スライダ３５は、ブラック以外の画像形成部Ｙ、Ｍ、Ｃの一次転写ホルダ２５Ｙ，２５Ｍ，２５Ｃの突起部２５ｂＹ，２５ｂＭ、２５ｂＣと係合可能であり、ブラック用スライダ２９はブラック画像形成部Ｋの一次転写ホルダ２５Ｋの突起部２５ｂＫと係合可能である。
【００２３】
カム２７は前記ブラック用スライダ２９とカラー用スライダ３５の両方に係合しており、このカム２７の回動によって前記スライダ２９，３５がそれぞれ左側に移動した位置と、右側に移動した位置とに移動可能となっている。このカム２７は、図５に示すように、カップリングを介して一次カムモータ３１と駆動連結し、一次カムモータ３１の駆動によって回動する。中間転写ベルト６は劣化や摩耗等により交換する必要があるため、中間転写ユニットとして装置本体に対して着脱可能となっている。そのため、前記一次カムモータ３１は装置本体に設けられ、カップリングによって中間転写ユニットに設けられたカム２７と結合可能となっている。
【００２４】
カム２７は、図６に示すように、４段の位相の異なるカム面を持っており、ブラック用スライダ２９と係合し、これをスライドさせるための駆動面２７ａ，２７ｂと、カラー用スライダ３５と係合し、これをスライドさせるための駆動面２７ｃ，２７ｄを有する。そして、カム２７が１２０°回転するごとに、カラー用スライダ３５・ブラック用スライダ２９は順に（１）左位置・左位置、（２）右位置・左位置、（３）右位置・右位置に位置するように移動する。
【００２５】
また、カラー用スライダ３５は、図７に示すように、イエロー、マゼンタ、シアンの各一次転写ホルダ２５Ｙ，２５Ｍ，２５Ｃの突起部２５ｂＹ，２５ｂＭ、２５ｂＣと係合する斜面部３５ａＹ、３５ａＭ、３５ａＣが形成されている。ブラック用スライダ２９にも同じようにブラックの一次転写ホルダ２５Ｋの突起部２５ｂＫと係合する斜面部３５ａＫが形成されている。そして、スライダ２９、３５のスライドに応じて前記突起部２５ｂが斜面部３５ａに沿って移動することで一次転写ホルダ２５が変位して一次転写ローラ５を移動させる。
【００２６】
図７（ａ）は、カラー用スライダ３５が左位置、ブラック用スライダ２９が左位置にある状態であり、このとき全ての一次転写ローラ５が全ての感光ドラム１に加圧されたカラーモードの状態となる。
【００２７】
図７（ｂ）は、カム２７が１２０°回転してカラー用スライダ３５が右位置、ブラック用スライダ２９が左位置にある状態である。カラー用スライダ３５が右位置に移動すると、イエローとマゼンタの突起部２５ｂＹ，２５ｂＭは押し下げられ、シアンの突起部２５ｂＣは押し上げられる。このため、イエロー、マゼンタ、シアンの一次転写ローラ５Ｙ，５Ｍ，５Ｃが上方に移動して中間転写ベルト６から離間する。一方、ブラックの一次転写ローラ５は感光ドラム１Ｋを押圧したままの状態であり、モノクロモードの状態となる。
【００２８】
図７（ｃ）は、さらにカム２７が１２０°回転してカラー用スライダ３５が右位置、ブラック用スライダ２９が右位置にある状態である。ブラック用スライダ２９が右位置に移動すると、ブラックの突起部２５ｂＫは押し上げられるため、ブラックの一次転写ローラ５Ｋが上方に移動して中間転写ベルト６から離間する。すなわち、この状態は全ての一次転写ローラ５が中間転写ベルト６から離間した全離間モードの状態である。
【００２９】
（二次転写部材押圧調整手段）
次に二次転写部における二次転写ローラの押圧力について説明する。本実施形態の画像形成装置では、二次転写部においても、モノクロモードのときはカラモードのときよりも中間転写ベルト６に対する二次転写ローラ１１の押圧力が弱くなるように設定している。そのために、中間転写ベルト６に対する二次転写ローラ１１の押圧力を変更可能な二次転写部材押圧調整手段が設けられている。
【００３０】
本実施形態の押圧調整手段は、図８に示すように、二次転写ローラ１１のローラ軸両端を受ける軸受１１ａと、これを押圧する押圧手段となる押圧バネ５０との間にカム部材５１を介在させたものである。押圧バネ５０の座面位置は、前記カム部材５１を駆動源である二次カムモータ６２（図９参照）により回動することで変化する。これにより押圧バネ５０による二次転写ローラ１１の押圧力が調整可能となる。カム部材５１は、ローラカム５１ａと押圧カム５１ｂとが軸５１ｃを中心に一体的に回転可能に設けられている。ローラカム５１ａは回転中心からの距離が同径のローラ部５１ａ１の一部に切欠部５１ａ２が形成され、その周面が軸受１１ａに当接している。押圧カム５１ｂは、回転中心からの径が異なる長径部、中径部、短径部を有し、その周面が押圧バネ５０の座面に当接している。押圧バネ５０は片側が固定されているので、押圧カム５１ｂの外周により圧が可変となる。
【００３１】
図８（ａ）はカラーモード時のカム部材５１の状態である。カラーモード時は、ローラカム５１ａのローラ部５１ａ１が軸受１１ａに当接し、押圧カム５１ｂの長径部が押圧カム５１ｂに当接している。このときが押圧バネ５０が最も圧縮され、二次転写ローラ１１の押圧力が最も強くなっている。
【００３２】
図８（ｂ）は、モノクロモード時のカム部材５１の状態である。モノクロモード時は、ローラカム５１ａのローラ部５１ａ１が軸受１１ａに当接し、押圧カム５１ｂの中径部が押圧カム５１ｂに当接している。このときは押圧バネ５０の圧縮はカラーモード時よりも少なくなり、二次転写ローラ１１の押圧力はカラーモード時よりも弱くなる。本実施形態ではモノクロモード時のローラ押圧力は、カラーモード時の約半分程度となるように設定している。
【００３３】
図８（ｃ）は、離間モード時のカム部材５１の状態である。離間モードは、二次転写ローラ１１が中間転写ベルト６から離間するモードであり、押圧カム５１ｂの短径部が押圧バネ５０に当接する位置にある。このとき押圧バネ５０は自然長となり、カム部材５１を押圧しない状態となる。一方、ローラカム５１ａは切欠部５１ａ２が軸受１１ａと対向し、切欠部５１ａ２と軸受１１ａの間には間隙が生じた状態となる。
【００３４】
この状態では、二次転写ローラ１１は自重で切欠部５１ａ２方向へ移動する。二次転写ローラ１１が切欠量だけ退避することで、二次転写ローラ１１が中間転写ベルト６から離間する。
【００３５】
カラーモードにおける画像形成は、中間転写ベルト６にイエロー、マゼンタ、シアン、ブラックの各トナー像が重畳転写される。このため、トナー層は積層された状態となり、単色のモノクロモードの場合よりもトナー層厚が高くなり、トナー層が１層の場合よりもシートと中間転写ベルト６との距離が大きくなる。よって、カラー画像形成装置にあっては、積層されたトナー層が二次転写部においてシートに転写される際に、搬送されるシートに引きずられて色ずれが生じないように、二次転写ローラ１１の押圧力を大きくしている。二次転写部において中間転写ベルト６に積層されたトナー層がシートにしっかり押しつけられると、トナー層が引きずられることなく転写され、画像不良となることはない。
【００３６】
一方、モノクロモードの場合は、中間転写ベルトに転写されているトナー層は１層である。このため、二次転写ローラ１１の押圧力がカラーモードのときより弱くても色ずれが生ずることない。そこで、本実施形態ではモノクロモードのときは二次転写ローラ１１の押圧力をカラーモードよりも弱く設定している。これにより、シートが二次転写部に突入するときの衝撃が緩和される。このため、モノクロモードにあって、イエロー、マゼンタ、シアンの一次転写ローラ５Ｙ，５Ｍ，５Ｃが中間転写ベルト６から離間していても、中間転写ベルト６の回転速度に変動をきたすことを抑制できる。
【００３７】
＜制御部＞
次に本実施形態の画像形成装置における画像形成モードに応じた一次転写ローラ、二次転写ローラの押圧制御構成について説明する。
【００３８】
本実施形態の制御部６０は、図９のブロック図に示すように、画像形成モードがカラーモードとモノクロモードとに応じて一次カムモータ３１を駆動して一次転写部材位置調整手段６１を動作させ、また、二次カムモータ６２を駆動して二次転写部材押圧調整手段６３を動作させる。
【００３９】
具体的には、図１０のフローチャートに示すように、画像形成を開始する場合に(Ｓ３０１）、画像形成で使用するモードについて選択する（Ｓ３０２）。ブラックを含めた２色以上のトナーを用いるカラーモードの場合は、一次転写部材位置調整手段６１により、図２（ａ）に示すように、イエロー、マゼンタ、シアン、ブラックの全ての一次転写ローラ５が中間転写ベルト６を介してそれぞれの感光ドラム１を押圧するカラーモード設定にセットされる。また、二次転写部材押圧調整手段６３により、図８（ａ）に示すように、二次転写ローラ１１による中間転写ベルト６の押圧力が最大になるようにしたカラーモード設定にセットされる（Ｓ３０３）。
【００４０】
一方、画像形成モードがブラック単色のモノクロモードの場合は、一次カムモータ３１を駆動して一次転写部材位置調整手段６１により、図２（ｂ）に示すように、ブラック以外の一次転写ローラ５Ｙ，５Ｍ，５Ｃが中間転写ベルト６から離間したモノクロモード設定へと切換えが行われる。また、二次カムモータ６２を駆動して二次転写部材押圧調整手段６３により、図８（ｂ）に示すように、二次転写ローラ１１による中間転写ベルト６の押圧力がカラーモードのときよりも小さくなるようにしたモノクロモード設定に切換がおこなわれる（Ｓ３０５）。
【００４１】
前記のように設定することで、カラーモードの場合は二次転写ローラ１１による押圧力を大きくして色ずれ等の発生を抑制する。また、モノクロモードの場合は二次転写ローラ１１による押圧力をカラーモードの場合よりも小さくすることで、二次転写部へのシートの突入衝撃を抑制する。このため、モノクロモードのときにブラック以外の一次転写ローラ５Ｙ，５Ｍ，５Ｃが中間転写ベルト６から離間した状態であっても、中間転写ベルトの回転速度変化が抑制される。
【００４２】
なお、本実施形態にあっては、画像形成装置を所定時間以上使用しない場合、あるいは装置の電源を切る場合に（Ｓ３０６）、全離間モードに設定するようにしている（Ｓ３０７）。全離間モードは、全ての一次転写ローラ５が中間転写ベルト６から離間し、二次転写ローラ１１も中間転写ベルト６から離間した状態である。これにより、画像形成装置を長時間使用しない場合、一次転写ローラ５や二次転写ローラ１１による過度な圧接によるローラ変形等の現象を防止することができる。
【００４３】
なお、二次転写部はシート搬送経路にあるため、紙詰まり処理のために二次転写部の近傍を開閉可能な扉が設けられている場合がある。そして、この扉に二次転写ローラ１１が設けられている場合がある。この場合、扉を閉める際に二次転写ローラ１１の押圧力が大きく設定されていると、操作性に影響に与え、閉める力を増大させてしまう可能性がある。そこで、そのような場合は、押圧調整手段を動作させて二次転写ローラ１１の押圧力をカラーモード以外の設定にするとよい。これにより、二次転写ローラ１１の押圧力が弱くなるため、扉を閉める力を低減でき、操作性の向上に寄与することが可能である。
【００４４】
また、前述した実施形態では二次転写ローラ１１の離間モードでは二次転写ローラ１１の自重により中間転写ベルト６から離間するようにしたが、図１１に示すように構成してもよい。図１１にあっては、カム部材５１と同じ軸に離間フック１７が軸支されている。そして、離間モードのときは、カム部材５１が回転する動作と連動して、離間フック１７の係止部が二次転写ローラ１１の軸１１ｂに係止するようになっている。これにより、二次転写ローラ１１を自重で離間するよりも確実に中間転写ベルト６から離間することができる。
【符号の説明】
【００４５】
１    …感光ドラム
５    …一次転写ローラ
６    …中間転写ベルト
９    …二次転写部
１１  …二次転写ローラ
１１ａ …軸受
１７  …離間フック
２５  …一次転写ホルダ
２５ａ …軸
２５ｂ …突起部
２７  …カム
２８  …加圧バネ
２９  …ブラック用スライダ
３１  …一次カムモータ
３５  …カラー用スライダ
３５ａ …斜面部
４８  …フレーム
５０  …押圧バネ
５１  …カム部材
５１ａ …ローラカム
５１ｂ …押圧カム
６０  …制御部
６１  …位置調整手段
６２  …二次カムモータ
６３  …押圧調整手段
【図１】
2018092090.tif 000003
【図２】
2018092090.tif 000004
【図３】
2018092090.tif 000005
【図４】
2018092090.tif 000006
【図５】
2018092090.tif 000007
【図６】
2018092090.tif 000008
【図７】
2018092090.tif 000009
【図８】
2018092090.tif 000010
【図９】
2018092090.tif 000011
【図１０】
2018092090.tif 000012
【図１１】
2018092090.tif 000013